(57)【要約】【課題】  縄跳び用の縄の回転をスムースにする。【解決手段】  縄飛び用の縄がバーの軸方向両端側に軸受により取り付けられ、軸受の回転部に縄跳び用の縄の端部が取り付けられ、軸受とそれに取り付けられた縄の端部がカバーで被覆され、バーを手で握って回転操作すると、軸受の回転部が回転し、その回転部に取り付けられた縄がバーの外側を回転するようにしてある。【選択図】図１
2020110284.tif 000002
【特許請求の範囲】
【請求項１】
バーと、バーの軸方向両端部の夫々に設けた縄連結具と、縄連結具でバーに取り付けられた縄を備えた縄跳び用具において、
縄連結具は軸受と当該軸受の外側を被覆するカバーを備え、
軸受はバーに固定される固定部と、固定部の外周に配置された回転部と、固定部と回転部の間のリング状の空間に配置された複数の転動体を備え、
カバーは本体カバーと蓋カバーを備え、本体カバーは軸受の外側に被せることができる軸受嵌合凹部と、縄の端部を導入して収容できる縄通路を備えており、
前記固定部でバーに固定された軸受が本体カバーの軸受嵌合凹部内に収容され、本体カバーの縄通路内に縄の端部が導入収容され、当該軸受と縄の端部が本体カバーと蓋カバーの間に被覆され、縄を回転させると縄の端部及び軸受の回転部がバーの外周を回転自在である、
ことを特徴とする縄跳び用具。
【請求項２】
請求項１記載の縄跳び用具において、
軸受は固定部が内輪であり、回転部が外輪であり、内輪とその外周に同心円状に配置された外輪の間のリング状の空間に複数の転動体が配置されて、内輪がバーに固定されると、外輪が内輪の外周を回転可能である、
ことを特徴とする縄跳び用具。
【請求項３】
請求項１又は請求項２記載の縄跳び用具において、
縄通路が内ガイドと外ガイドの間に形成されたリング状である、
ことを特徴とする縄跳び用具。
【請求項４】
請求項１から請求項３のいずれか１項に記載の縄跳び用具において、
本体カバーの外ガイドに、縄端部を縄通路内に引き込み可能な導入口が開口されている、
ことを特徴とする縄跳び用具。
【請求項５】
請求項１から請求項４のいずれか１項に記載の縄跳び用具において、
本体カバーと蓋カバーに、両者を螺子止め可能な止め穴がある、
ことを特徴とする縄跳び用具。
【発明の詳細な説明】
【技術分野】
【０００１】
本願発明は縄跳びする人が、縄を片手で前方回転、後方回転、横回転といった各種方向に回転させて縄跳びすることのできる縄跳び用具に関するものである。
【背景技術】
【０００２】
縄跳びは気軽にできる運動として多くの人に愛好されている。従来、広く使用されている縄跳び用具として、縄の両端にグリップが設けられたものがある。また、縄跳び用具を応用した美容健康運動器具として、縄の両端のグリップの端部同士を連結可能とし、縄跳びをする人がそのグリップを手で持って縄を回転させて縄跳びできるようにした縄跳び用具（特許文献１）がある。
【先行技術文献】
【特許文献】
【０００３】
【特許文献１】実開昭６３−１８９２６７号公報
【発明の概要】
【発明が解決しようとする課題】
【０００４】
前記縄跳び用具はグリップを片手で持ちにくいこと、グリップが短いこと等から縄跳びの遊び方（跳び方）が限られてしまうという問題がある。
【０００５】
本願発明の解決課題は、縄を片手で前方回転、後方回転、左回転、右回転といった各種方向に自在に回転させて縄跳びをすることができ、回転中に縄が絡まることのない縄跳び用具を提供することにある。
【課題を解決するための手段】
【０００６】
本願発明の縄跳び用具は、バーの軸方向両端側に軸受が取り付けられ、それら軸受の回転部に縄跳び用の縄（以下、単に「縄」という。）の端部が取り付けられ、軸受の外周とそれに取り付けられた縄の端部がカバーで被覆され、バーを手で握って回転操作すると、軸受の回転部が回転し、その回転部に取り付けられた縄がバーの外側を回転するようにしてある。
【発明の効果】
【０００７】
本願発明の縄跳び用具は次のような効果がある。
（１）バーを手で握ってバーを回転させると、縄が身体の外側を回転するので、使用者が縄を跳び超えるようにジャンプすることにより、従来の縄跳びと同様に縄跳びをすることができる。
（２）縄を前方回転、後方回転、左回転、右回転、斜め回転させることができるので、縄跳びのバリエーションが増え、従来の縄跳びとは違った変化のある縄跳びをすることができる。
（３）縄が軸受の回転部の回転と共に回転するため、バーの回転により縄を回転させても、縄が捻じれて回転しにくくなったり、身体に巻きついたりしにくくなり、スムースに回転する。
【図面の簡単な説明】
【０００８】
【図１】本願発明の縄跳び用具の一例の斜視図。
【図２】本願発明の縄跳び用具における縄連結具の蓋カバーを外した状態の説明図。
【図３】本願発明の縄跳び用具における縄連結具の蓋カバーを外して本体カバーをずらした状態の説明図。
【図４】本願発明の縄跳び用具の縄連結具の縦断面図。
【図５】本願発明の縄跳び用具を左手で持って側方回転跳びする場合の使用例を示す斜視図。
【図６】本願発明の縄跳び用具の正面図。
【図７】本願発明の縄跳び用具の側面図。
【図８】本願発明の縄跳び用具の平面図。
【図９】本願発明の縄跳び用具の底面図。
【発明を実施するための形態】
【０００９】
（実施形態１）
［縄跳び用具の概要］
本願発明の縄跳び用具の一実施例を、図面を参照して説明する。本願発明の縄跳び用具１は、図５のように片手でバー２を持って使用するものであり、図１のように細長のバー２と、バー２の両端に取り付けられた縄連結具３と、縄連結具３に取り付けられた縄４と、バー２の軸方向中間部に設けられたグリップ５を備えるものである。縄連結具３、グリップ５はバー２に固定されている。
【００１０】
［バー］
図１のバー２は縄４を回転させる際に回転軸となるものである。バー２は約７０ｃｍ程度であるが、バー２の長さは使用者の身幅と同じ又は身幅とほぼ同じ長さ（短くでも長くてもよい）にしてある。このような長さとすることで、バー２の両端に取り付けた縄４の間隔が使用者の体の幅よりも広い間隔となるようにしてあり、バー２と縄４の間に使用者の体が通過するのに十分な広さの跳び空間Ｓが形成される。バー２には細長い丸棒、丸パイプ、角棒、角パイプ等を使用することができ、その太さは片手で握れる程度の太さとしてある。バー２は使用者に合わせて長さを変えられるように伸縮式のものとすることもできる。グリップ５（図１）を外すと軸方向に二分できるようにすることも、グリップ５を緩めると軸方向に伸縮可能な伸縮式とすることもできる。バー２は使用時に腕が疲れにくいように軽量の材質製とすることが好ましく、例えば、アルミ製、カーボン製、プラスチック製等とすることができる。
【００１１】
［縄連結具］
図１の縄連結具３は縄４の端部６（図２）をバー２に取り付けるためのものであり、バー２の軸方向両端の夫々に一つずつ設けられている。縄連結具３はバー２の両端に固定される軸受７（図３）の外周がカバー８（図２）で被覆されている。
【００１２】
［軸受］
軸受７（図３）には汎用の転がり軸受を使用することができる。図３の軸受７は内輪９と外輪１０の間に球状の転動体１１が複数配置されている。内輪９はバー２の軸方向端部に固定される固定部である。固定手段は接着その他任意の手段である。外輪１０及び転動体１１は内輪９の外周を回転自在な回転部である。転動体１１はローラであってもよい。
【００１３】
［カバー］
カバー８（図２）はバー２の軸方向端部に取り付けられた軸受７の外周を被覆するものであり、本体カバー１２と蓋カバー１３を備え、両カバー１２、１３は軸受７を挟んで対向配置させて軸受７を被覆してある。
【００１４】
［本体カバー］
本体カバー１２は図３のように円板１４の中心部にバー２を通すことのできる貫通孔１５がある。円板１４の内側であり且つ貫通孔１５の外周にリング状の内ガイド１６があり、内ガイド１６の内側を軸受７の外周に被せることのできる軸受嵌合凹部１８ａとしてある。内ガイド１６の周方向一箇所に開口部１６ａ（図２）がある。内ガイド１６の外側に同心円状に円筒状の外ガイド１７があり、内ガイド１６と外ガイド１７の間に縄を通すことのできる幅のリング状の縄通路１８ｂがある。外ガイド１７の周方向任意箇所には縄導入口１９がある。縄導入口１９は縄４の端部を縄通路１８ｂ内に導入するための開口部である。外ガイド１７の外周面であって周方向数箇所には外側に盛り上がった突起２０があり、各突起２０に止め穴２１が開口されている。止め穴２１は内周面に螺子のあるネジ穴が望ましい。
【００１５】
［蓋カバー］
蓋カバー１３は図２のように円板２２の内側にリング状の内ガイド２３があり、内ガイド２３の周方向一箇所に開口部２３ａ（図２）がある。内ガイド２３の外側には同心円状にリング状の外ガイド２４がある。外ガイド２４の外周面であって周方向数箇所に突起２５があり、各突起２５に止め孔２６が貫通されている。内ガイド２３と外ガイド２４の間であって周方向数箇所には板状の嵌入突片（リブ）３１が突設されている。リブ３１は内ガイド２３と外ガイド２４よりも内側まで突出している。蓋カバー１３の外ガイド２４の周方向に導入口リブ３２（図２）がある。導入口リブ３２は外ガイド２４の内面よりも一段外側に窪んでいる。
【００１６】
前記蓋カバー１３の内ガイド２３の直径は、本体カバー１２の内ガイド１６の直径よりも小さい。本体カバー１２の外ガイド１７と蓋カバー１３の外ガイド２４を対向させて突き合わせると、本体カバー１２の内ガイド１６内に蓋カバー１３の内ガイド２３が嵌入するようにしてある。また、この嵌入状態で本体カバー１２の三つの突起２０と、蓋カバー１３の三つの突起２５を突き合わせると、本体カバー１２の内ガイド１６の開口部１６ａと蓋カバー１３の内ガイド２３の開口部２３ａが対向して、両開口部１６ａ、２３ａが連通するようにしてある。
【００１７】
［縄］
縄４はチューブ、紐等であり、樹脂製、その他の材質性が適する。その太さ、長さ、重さ等は任意に選択可能である。
【００１８】
［縄の取付け］
バー２に縄４を取り付けるには次のようすることができる。
１．本体カバー１２の貫通孔１５（図３）にバー２を通し、バー２の軸方向端部に軸受７（図３）を固定し、その軸受７の外輪１０の外周に本体カバー１２の内ガイド１６を被せる（図２）。
２．前記１の状態で、本体カバー１２の外ガイド１７の導入口１９から本体カバー１２の縄通路１８ｂ内に縄４の端部６を導入し、その端部６を本体カバー１２の内ガイド１６の外周に巻き付ける。
３．次に、図４のように蓋カバー１３をバー２の軸方向外端から軸受７の外側に被せて、軸受７を本体カバー１２と蓋カバー１３で挟んで被覆する。このとき、図４のように蓋カバー１３の内ガイド２３を本体カバー１２の内ガイド１６の内側に嵌入し、蓋カバー１３のリブ３１（図２）を本体カバー１２の縄通路１８ｂ内に嵌入する。また、蓋カバー１３の導入口リブ３２を本体カバー１２の縄導入口１９の外側に被せ、縄導入口１９に導入された縄４の導入部外側に被せる。さらに、蓋カバー１３の外ガイド２４の開口端面を、本体カバー１２の外ガイド１７の開口端面に突合わせ、蓋カバー１３の突起２５を本体カバー１２の突起２０に突き合わせる。
４．前記３の状態で、蓋カバー１３の突起２５の止め孔２６の外側から止めネジ３０（図４）を差し込み、本体カバー１２の突起２０の止め穴２１内にねじ込んで、蓋カバー１３と本体カバー１２を連結固定する。これにより、両カバー１２、１３で軸受７を被覆し、縄４の端部をバー２の軸方向両端に回転自在に取り付ける。
【００１９】
［使用例］
本発明の縄跳び用具１は図５のように、バー２の軸方向略中央部のグリップ５又はバー２を片手で持って振ると、軸受７がバー２の軸廻りを回転し、その回転に伴って縄４がバー２の軸廻りを回転する。縄４の回転に合わせて、汎用の縄跳び用具と同様に縄跳びをすることができる。
【００２０】
［前方回転縄跳び使用例］
本願発明の縄跳び用具１を使用して、前方回転縄跳びをする場合について説明する。
１．グリップ５を片手で把持して、バー２と縄４を縄跳びする人（使用者）の身体の前におく。
２．前記１の状態からグリップ５を把持した手で縄４を前方回転（使用者の身体の前方に回転）させる。
３．回転中の縄４が地面に降りた時に使用者がジャンプをして縄４を跳び越える。
４．前記１〜３を繰り返して連続的に前方回転跳びをする。
【００２１】
［後方回転縄跳びの使用例］
本願発明の縄跳び用具１を使用して、後方回転縄跳びをする場合について説明する。
１．グリップ５を片手で把持して、バー２と縄４を使用者の身体の前におく。
２．前記１の状態からグリップ５を把持した手で縄４を後方回転（使用者の身体の後方に回転）させる。
３．回転中の縄４が地面に降りた時に使用者がジャンプをして縄４を跳び越える。
４．前記１〜３を繰り返して連続的に後方回転跳びをする。
【００２２】
［左側方回転縄跳び使用例］
本願発明の縄跳び用具１を使用して、左側方回転縄跳びをする場合について説明する。
１．グリップ５を片手（左手）で把持して、バー２と縄４を使用者の身体の左側方におく。
２．前記１の状態からグリップ５を把持した手で縄４を左側方回転（使用者の身体の左側方に回転）させる。
３．回転中の縄４が地面に降りた時に使用者がジャンプをして縄４を跳び越える。
４．前記１〜３を繰り返して、連続的に左側方回転跳びをする。
【００２３】
［右側方回転縄跳びの使用例］
本願発明の縄跳び用具１を使用して、右側方回転縄跳びをする場合について説明する。
１．グリップ５を片手（右手）で把持して、バー２と縄４を使用者の身体の右側方におく。
２．前記１の状態からグリップ５を把持した手で縄４を右側方回転（使用者の身体の右側方に回転）させる。
３．回転中の縄が地面に降りた時に使用者がジャンプをして縄４を跳び越える。
４．前記１〜３を繰り返して、連続的に右側方回転跳びをする。
【００２４】
［縄跳び用具の他の使用例］
本願発明の縄跳び用具１は縄４の回転方向を変えることにより前記のように各種方向への縄跳びを行うことができる。縄４を使用者の身体の斜め側方前方に回転させることにより斜め側方前方回転跳びを、斜め側方後方に回転させることにより斜め側方後方回転跳びを行うことができる。３６０度所望方向に回転させて縄跳びを行うことができる。
【符号の説明】
【００２５】
１      縄跳び用具
２      バー
３      縄連結具
４      縄
５      グリップ
６      （縄の）端部
７      軸受
８      カバー
９      内輪
１０    外輪
１１    転動体
１２    本体カバー
１３    蓋カバー
１４    円板
１５    貫通孔
１６    （本体カバーの）内ガイド
１６ａ  開口部
１７    （本体カバーの）外ガイド
１８ａ  軸受嵌合凹部
１８ｂ  縄通路
１９    縄導入口
２０    （本体カバーの）突起
２１    止め穴
２２    円板
２３    （蓋カバーの）内ガイド
２３ａ  開口部
２４    （蓋カバーの）外ガイド
２５    （蓋カバーの）突起
２６    止め孔
３０    止めネジ
３１    嵌入突片（リブ）
３２    導入口リブ
Ｓ      跳び空間
【図１】
2020110284.tif 000003
【図２】
2020110284.tif 000004
【図３】
2020110284.tif 000005
【図４】
2020110284.tif 000006
【図５】
2020110284.tif 000007
【図６】
2020110284.tif 000008
【図７】
2020110284.tif 000009
【図８】
2020110284.tif 000010
【図９】
2020110284.tif 000011